(57)【要約】
【課題】  ツールがなくても組立できる薬浴用の蒸気箱を提供する。
【解決手段】  薬浴用の蒸気箱には主に、ベース１０の上面に、横方向断面が逆様なU形の箱の本体構造を設ける。箱の本体構造には上下にそれぞれカバー３０及びベースプレート２０を配置する。箱の本体構造で囲う周辺の三つの隣接する側辺の縦立柱２５における側面には、それぞれ縦方向のはめ込み溝２５１が形成される。そして、隣接する縦立柱２５には対応のはめ込み溝２５１を経由して、一組の横方向の間隔板２７を配置する。箱の本体構造の開口の一側において、ベースプレート２０とカバー３０との間に、開閉できる扉板構造４０を枢設する。錠止又ははめ込み方式で薬浴用の蒸気箱を組成して、ツールがなくても組立できる薬浴用の蒸気箱の効果を達成する。
【選択図】    図１
0003100846.tif 000002
【実用新案登録請求の範囲】
【請求項１】
ツールがなくても組立できる薬浴用の蒸気箱において、
横方向断面が略Ｕ形の箱の本体構造をベースの上面に設け、箱の本体構造はベースプレート、一組の縦立柱、カバー及び扉板構造を有し、異なる開口の隣接の縦立柱の間に下から上までの順に一組の間隔板を嵌め込むと壁面を組成し、箱の本体構造の側面にはベースとカバーとの間に、開閉可能な扉板構造が枢設され、
前記ベース、箱の本体構造のベースプレート、縦立柱、カバー及び扉板構造を錠止又は嵌め込み方式で組立てると、ツールがなくても組立又は分解可能な薬浴用の蒸気箱が構成されることを特徴とする薬浴用の蒸気箱。
【請求項２】
ベースの各隅にそれぞれ中空の挿入管を設置し、ベースプレートの周縁にベースの挿入管に対応する一組の柱孔が形成され、各縦立柱の底端は柱孔を通過したあとで挿入管に入り、各縦立柱は扉板構造との異なる相対側面に、間隔板を嵌め込むための嵌め込み溝が形成され、最上層の間隔板に一組の横方向貫通の貫通孔が形成され、気体輸送管を貫通可能であることを特徴とする請求項１記載の薬浴用の蒸気箱。
【請求項３】
箱の本体構造の縦立柱上面に挿入孔が形成され、カバーの底面の各隅に挿入孔に入れる若干の突出ブロックが形成され、カバーの内底面には間隔板の内縁に対応する箇所に密封バーが設置され、密封バーと突出ブロックとの間に縦立柱の挿入孔から側辺までの厚さに対応するギャップが形成され、気密効果を遂げることを特徴とする請求項１記載の薬浴用の蒸気箱。
【請求項４】
扉板構造は第一扉板及び第二扉板が上下のヒンジで向き合うように枢設されて接続され、扉板構造は上下エッジに同じシャフトラインの錠止構造及び枢設軸構造が設けられ、上端の錠止構造は伸縮作用があることにより扉板構造をカバーとベースプレートとの間に枢設し、扉板構造のトップエッジには錠止構造との異なる末端にプーリー構造があり、カバーには扉板構造の側縁に対応する位置に、スライド溝を持つレールが設置され、プーリー構造がレールを滑り動き、扉板構造が箱の本体構造に対応するように開閉可能であることを特徴とする請求項１記載の薬浴用の蒸気箱。
【請求項５】
ベースの底部の隅に、蒸気箱を移動するためのローラーを設けることを特徴とする請求項２記載の薬浴用の蒸気箱。
【請求項６】
盆状のベースの一つの側面に引き出し孔があり、ベースの隣接の引き出し孔の二つの内側面にそれぞれ対応するスライドレールを設置し、スライドレールは第一スライドレール及び第二スライドレールから組成され、ベースの第一スライドレール及び第二スライドレールは引き出し孔を経由して第一濾過網及び第二濾過網を設置することを特徴とする請求項２記載の薬浴用の蒸気箱。
【請求項７】
ベースの周縁には底縁に隣接する箇所に排水バルブを設け、蒸気箱の廃水を排出することを特徴とする請求項１、２、５又は６の何れか一項記載の薬浴用の蒸気箱。
【請求項８】
間隔板の上下縁にはそれぞれ相対に噛み合うように凹凸状のジョイント溝及びジョイントエッジが形成され、隣接の間隔板は相対的に嵌めこまれ、箱の本体構造の壁面を形成することを特徴とする請求項１又は２記載の薬浴用の蒸気箱。
【請求項９】
箱の本体構造の表面に上下貫通の一組の通気孔が形成されることを特徴とする請求項１又は２記載の薬浴用の蒸気箱。
【請求項１０】
箱の本体構造の各縦立柱の底端に小さい直径の挿入ロッドが形成され、挿入ロッドがベースプレートを通過したあとで、上方の大きい位置でベースプレートを押すことを特徴とする請求項１又は２記載の薬浴用の蒸気箱。
【請求項１１】
箱の本体構造のカバーの中央には階級縁を具有するソケットホールがあり、ソケットホールの上をフランジに対応する透明状の覆いプレート（３２）で覆い、覆いプレートの表面に上下貫通の一組の通気孔が形成されることを特徴とする請求項１又は２記載の薬浴用の蒸気箱。
【請求項１２】
扉板構造の錠止構造はセットプレートの中段から中空の延ばしパイプを下へ向かうように延ばし、延ばしパイプの中には下から上まで、大きな直径の止めブロックを持つシャフトロッドを通過させ、シャフトロッドの上段には延ばしパイプから突出す一端にスプリングを嵌め、シャフトロッドの上端に枢設ブロックが設置され、錠止構造にはカバーのスライドレールの底面にナットで止めプレートを取り付け、止めプレートの底面には枢設ブロックを枢設する枢設溝のブロックがあり、錠止構造は扉板構造の第一扉板のトップエッジに、セットプレートに対応する嵌めこみ溝が配置され、嵌めこみ溝には延ばしパイプに対応する貫通孔が形成され、錠止構造はセットプレート及び延ばしパイプを経由して扉板構造に設置され、シャフトロッドは止めプレートの枢設溝のブロックに相対して伸縮するように動くことを特徴とする請求項４記載の薬浴用の蒸気箱。
【請求項１３】
扉板構造の枢設軸構造はセットプレートから延ばしパイプを上へ向かうように延ばし、延ばしパイプの内部に調整ロッドを螺合し、第一扉板の対応箇所には貫通孔を具有する嵌め込み溝があり、セットプレートで延ばしパイプを貫通孔にいれて嵌め込み溝に嵌め込むことを特徴とする請求項４記載の薬浴用の蒸気箱。
【請求項１４】
扉板構造のプーリー構造は枢設孔を持つプーリーがカバーのスライドレールに活動できるように設けられ、プーリーの枢設孔に枢設軸をいれ、枢設軸の下段にナットが螺合され、枢設軸の末端に位置決め薄片がねじで締め付けられ、位置決め薄片は嵌め込み溝を持つセットプレートの中に入り、第二扉板の上端に対応する箇所にはセットプレートに対応する嵌め込み溝が形成され、ナット及び位置決め薄片で枢設軸をセットプレートに取り付け、第二扉板が移動しているとき、第二扉板の末端はプーリーでレールのスライド溝に沿って滑り動くことを特徴とする請求項４、１２又は１３の何れか一項記載の薬浴用の蒸気箱。
【考案の詳細な説明】
【技術分野】
【０００１】
本考案はツールがなくても組立できる薬浴用の蒸気箱に関するものであり、特に、運輸、収納の際に縮めることができ、ユーザが自分で組立できる薬浴用の蒸気箱に関する。
【背景技術】
【０００２】
蒸気箱で人体の血液循環を促進し、毒を排除する効果をアップさせるという休閑、養生の方式は、忙しい現代人にとって良い選択だと言える。蒸気箱の使用時間を増加すると同時に、個人的な衛生清潔を維持するために、個人の薬浴用の蒸気箱が開発されている。そして、ユーザは私人の空間又は家で使用し、薬浴の観念を利用して、使う機能を高める。
【０００３】
薬浴用の蒸気箱は段々に完備され、例えば、早期に公告されたNO264698の特許新案“薬浴用の蒸気箱の改良構造”、NO331140の特許新案“蒸気薬浴用の箱の改良構造”、NO535592の特許新案“薬浴用のオーブンの構造”などの例が挙げられる。それらは各自の異なる利点があるが、薬浴用の蒸気箱の構造が皆、ねじ、リベットなどロックユニットでアセンブリされる。つまり、現有の公開されている具体的な資料には、ツールがなくても組立できるという薬浴用の蒸気箱が見られなかった。
【考案の開示】
【考案が解決しようとする課題】
【０００４】
したがって、一般的なメーカは皆、生産工場又はユーザの指定する場所で、様々なツールで組立の作業を行う。ユーザはDIYの組立の楽しみがないばかりでなく、運輸及び収納を考えると、アセンブリしたあとの体積がより大きいので、空間の応用が限られて、運輸及び収納のコストがアップする。ユーザが相当に困る以外に、それら薬浴用の蒸気箱の競争力は低下する。
【０００５】
上述の説明により、従来より、既存の薬浴用の蒸気箱の設計は完備されてはおらず、分解、組立が容易ではない、運輸及び収納時の体積が大き過ぎる、DIYの楽しみがないなどの問題がある。薬浴用の蒸気箱の使用効果に影響するので、いかに有効的にそれら欠陥を改善するかが本考案の研究したい課題である。
【０００６】
したがって、本考案の主な目的は、ツールがなくても組立できる薬浴用の蒸気箱を提供することにある。
【課題を解決するための手段】
【０００７】
上述の目的を達成するために、本考案の薬浴用の蒸気箱は主に、ベースに箱の本体構造を架設する。箱の本体構造は矩形であり、ベースに挿入する四本の縦立柱を有する。一方、各縦立柱の底面、上面には、それぞれベースプレート、カバーを嵌め込む。箱の本体構造で囲う周辺の三つの隣接する側辺の縦立柱における側面には、それぞれ縦方向のはめ込み溝が形成される。そして、隣接する縦立柱には対応のはめ込み溝を経由して、一組の横方向の間隔板を配置する。また、箱の本体構造の別の側辺には、伸縮作用を持つ錠止構造及び枢設軸構造を経由して、扉板構造を枢設する。そうすると、蒸気箱はツールがなくても、直接に分解、組立できるので、ユーザの使用利便性を向上させる。
【考案を実施するための最良の形態】
【０００８】
以下、本考案の実施例を図面に基づいて説明する。
まずは図１及び図２を参照する。本考案の一実施例によるツールがなくても組立できる薬浴用の蒸気箱には主に、ベース１０の上面に、横方向断面が逆様なU形の箱の本体構造を設ける。箱の本体構造には上下にそれぞれカバー３０及びベースプレート２０を配置する。箱の本体構造の開口の一側において、ベースプレート２０とカバー３０との間に、開閉できる扉板構造４０を枢設する。それにより、錠止又ははめ込み方式で薬浴用の蒸気箱を組成して、ツールがなくても組立できる薬浴用の蒸気箱の効果を達成する。
【０００９】
本実施例の詳しい構造は、図１及び図２を参照して説明する。盆状のベース１０の底部隅に、蒸気箱を移動するためのローラー１１を設ける。ベース１０の各隅にそれぞれ中空の挿入管１２を設置して、箱の本体構造を取り付ける。ベース１０の一つの側面に、引き出し孔１３がある。ベース１０の隣接の引き出し孔１３の二つの内側面に、それぞれ対応するスライドレール１４を設置する。スライドレール１４は第一スライドレール１５及び第二スライドレール１６から組成される。ベース１０の第一スライドレール１５及び第二スライドレール１６は引き出し孔１３を経由して、第一濾過網１８及び第二濾過網１９を設置する。ベース１０の周縁に、第二濾過網１９より低い排水バルブ１７を設けて、蒸気箱の廃水を排出する。
【００１０】
箱の本体構造は、ベースプレート２０、一組の縦立柱２５、カバー３０、扉板構造４０などの要素から形成される。ベースプレート２０の周縁には、ベース１０の挿入管１２に対応する一組の柱孔２１が形成され、ベースプレート２０の表面には、上下貫通の一組の貫通孔２２が形成される。各縦立柱２５の底端から、より小さい直径の挿入ロッド２６が突き出すように延ばされる。縦立柱２５の挿入ロッド２６はベースプレート２０の柱孔２１を通過したあとで、ベース１０の挿入孔１２に入る。また、各縦立柱２５の上面中央に、カバー３０をセットするための挿入孔２５０がそれぞれ形成される。同時に、各縦立柱２５は扉板構造４０の各々相対的な側面に、縦方向の嵌め込み溝２５１が形成される。隣接の縦立柱２５に対応する嵌め込み溝２５１の間に、下から上までの順に、一組の間隔板２７を嵌め込む。間隔板２７の上下縁には、それぞれ相対に噛み合うように、凹凸状のジョイント溝２７０及びジョイントエッジ２７１が形成される。それにより、隣接の間隔板２７は相対的に嵌めこまれ、箱の本体構造の壁面を形成する。さらに、最上層の間隔板２７には、一組の横方向貫通の貫通孔２７２が形成されるので、図７に示すように、気体輸送管８０を貫通させることができる。
【００１１】
カバー３０の中央に、階級縁３１０を具有するソケットホール３１がある。ソケットホール３１の上を透明状の覆いプレート３２で覆う。覆いプレート３２の周縁にフランジ３２０が形成されるので、覆いプレート３２はフランジ３２０及び階級縁３１０を経由して、ソケットホール３１の上に配置する。覆いプレート３２の表面に、上下貫通の一組の通気孔３２１が形成される。また、カバー３０の底面の各隅には、縦立柱２５の挿入孔２５０に対応する突出ブロック３３が形成されるので、カバー３０が縦立柱２５の上面に跨がる。カバー３０の内底面において、間隔板２７の内縁に対応する箇所に、それぞれ密封バー３４が設けられ、間隔板２７と対応して気密の作用を遂げる。密封バー３４と突出ブロック３３との間にギャップ３５が形成される。ギャップ３５はおりよく対応の縦立柱２５の挿入孔２５０と側辺との距離に対応する。カバー３０は、扉板構造４０の側縁に対応する箇所に、スライド溝３６０を具有するレール３６が設けられるので、扉板構造４０の開閉のときに滑り動くことができる。
【００１２】
図３及び図４を参照する。上述の扉板構造４０は第一扉板４１及び第二扉板４２が上下のヒンジ４３で向き合うように枢設され接続される。また、扉板構造４０は上下エッジの錠止構造５０及び枢設軸構造６０で、カバー３０とベースプレート２０との間に枢設される。錠止構造５０はセットプレート５１の中段から、中空の延ばしパイプ５２を下へ向かうように延ばす。延ばしパイプ５２の中には下から上まで、より大きな直径の止めブロック５３０を持つシャフトロッド５３を通過させる。シャフトロッド５３の上段には、延ばしパイプ５２から突出する一端にスプリング５４を嵌める。シャフトロッド５３の上端に枢設ブロック５５が設置される。錠止構造５０はカバー３０のスライドレール３６の底面に、ナット５７で止めプレート５６を取り付ける。止めプレート５６の底面に、枢設ブロック５５を枢設する枢設溝のブロック５６０がある。錠止構造５０は扉板構造４０の第一扉板４１のトップエッジに、セットプレート５１に対応する嵌めこみ溝５８が配置される。嵌めこみ溝５８には延ばしパイプ５２に対応する貫通孔５９が形成されるので、錠止構造５０のシャフトロッド５３はセットプレート５１及び延ばしパイプ５２を経由して、扉板構造４０に設置される。シャフトロッド５３は止めプレート５６の枢設溝のブロック５６０に相対して、伸縮するように動くことができる。
【００１３】
枢設軸構造６０は扉板構造４０の第一扉板４１の底端面に設置され、しかも、錠止構造５０と同じシャフトラインに配置される。枢設軸構造６０はセットプレート６１から延ばしパイプ６２を上へ向かうように延ばす。延ばしパイプ６２の内部に調整ロッド６３を螺合する。調整ロッド６３の底端には枢設ブロック６４が突出するように形成される。また、第一扉板４１の対応箇所には貫通孔６６を具有する嵌め込み溝６５がある。そして、セットプレート６１で延ばしパイプ６２を貫通孔６６にいれて、嵌め込み溝６５に嵌め込む以外に、調整ロッド６３の突出長さを調節することができる。ベースプレート２０の対応位置に枢設孔２００が形成され、枢設構造６０の枢設ブロック６４を入れる。
【００１４】
扉板構造４０の第二扉板４２のトップエッジにプーリー構造７０が設置される。プーリー構造７０はカバー３０のスライドレール３６にプーリー７１を活動できるように設ける。プーリー７１の中央に枢設孔７２がある。プーリー７１の枢設孔７２に枢設軸７３をいれる。枢設軸７３にナット７４が螺合される。枢設軸７３の末端に位置決め薄片７５がねじで締め付けられる。位置決め薄片７５は嵌め込み溝７７を持つセットプレート７６の中に入る。第二扉板４２の上端に対応する箇所にはセットプレート７６に対応する嵌め込み溝７８が形成される。それにより、ナット７４及び位置決め薄片７５で、枢設軸７３をセットプレート７６に取り付ける。第二扉板４２が移動しているとき、第二扉板４２の末端はプーリー７１でレール３６のスライド溝３６０に沿って滑り動くことができる。
【００１５】
要するに、箱の本体構造がベース１０に挿入される。箱の本体構造はベース２０、縦立柱２５、間隔板２７、カバー３０、扉板構造４０などの要素から形成される。相対的に、錠止又は嵌め込みの方式でアセンブリされるので、ツールがなくても、分解、組立できる薬浴用の蒸気箱が構成される。
【００１６】
実際に応用する場合、図１、図５、図６及び図７に示すように、箱の本体構造は縦立柱２５をベース２０に通過させたあとで、挿入方式でベース１０に取り付ける。縦立柱２５の間における間隔板２７は嵌め込み方式で一つずつ入れて、箱の本体構造の壁面を形成する。カバー３０は底面の突出ブロック３３を、縦立柱２５の上面の挿入孔２５０に挿入する。扉板構造４０は伸縮作用を持つ錠止構造５０、ならびに高低調節できる枢設軸構造６０を経由して、箱の本体構造のベース２０とカバー３０との間に枢設される。さらに、図５に示すように、プーリー構造７０はカバー３０のスライドレール３６を経由して、箱の本体構造の開口の開閉動作を行う。これにより、蒸気箱の全体構造の分解、組立はいずれのツールもなくても、ユーザが手工で行うことができる。ユーザのDIYの楽しみがある以外に、収納、運輸のときにも、快速に分解、組立できる。すなわち、大幅に運輸、収納時の体積を縮めて、コストを低下させる。
【００１７】
図７を参照する。ユーザが使う場合に、蒸気の気体輸送管８０は箱の本体構造のトップエッジにおける間隔板２７に架設されて、下へ傾斜状となるので、蒸気が直接に下へ向かって、内部の空間へ流れる。蒸気が下方から出て来るせいで、流れがスムーズでなく、汚染の現象を招くという従来の欠陥を解決して、養生の効果を向上させる。
【図面の簡単な説明】
【００１８】
【図１】本考案の一実施例による薬浴用の蒸気箱を示す立体分解図であり、薬浴用の蒸気箱の構成要素及びその対応関係を示す図である。
【図２】本考案の一実施例による薬浴用の蒸気箱を示す断面図である。
【図３】本考案の一実施例による薬浴用の蒸気箱の扉板構造を示す分解図である。
【図４】本考案の一実施例による薬浴用の蒸気箱の扉板構造の組立状態及び局部の断面を示す模式図である
【図５】本考案の一実施例による薬浴用の蒸気箱の 扉板構造の動作を示す断面図である。
【図６】本考案の一実施例による薬浴用の蒸気箱を示す立体組立図である。
【図７】本考案の一実施例による薬浴用の蒸気箱の使用状態を示す模式図である。
【符号の説明】
【００１９】
１０  ベース、１２  挿入管、１３  引き出し孔、１４  スライドレール、１５  第一スライドレール、１６  第二スライドレール、１７  排水バルブ、１８  第一濾過網、１９  第二濾過網、２０  ベースプレート、２１  柱孔、２５  縦立柱、２６  挿入ロッド、２７  間隔板、３０  カバー、３１  ソケットホール、３２  覆いプレート、３３  突出ブロック、３４  密封バー、３５  ギャップ、３６  スライドレール、４０  扉板の構造、４３  ヒンジ、５０  錠止構造、５２  延ばしパイプ、５３  シャフトロッド、５４  スプリング、５５  枢設ブロック、５６  止めプレート、５８  嵌め込み溝、５９  貫通孔、６０  枢設軸構造、６２  延ばしパイプ、  ６３  調整ロッド、６４  枢設ブロック、６６  貫通孔、７０  プーリー構造、７１  プーリー、７２  枢設孔、７３  枢設軸、７４  ナット、７５  位置決め薄片  ７６  セットプレート、８０  気体輸送管、２００  枢設孔、２５０  挿入孔、２５１  嵌め込み溝、２７０  ジョイント溝、２７１  ジョイントエッジ、２７２  貫通孔、３１０  階級縁、３２０  フランジ、３２１  通気孔、３６０  スライド溝、５３０  止めブロック、５６０  枢設溝のブロック
【図１】
0003100846.tif 000003
【図２】
0003100846.tif 000004
【図３】
0003100846.tif 000005
【図４】
0003100846.tif 000006
【図５】
0003100846.tif 000007
【図６】
0003100846.tif 000008
【図７】
0003100846.tif 000009